(57)【特許請求の範囲】
【請求項１】
光源から出射された光を分割し、分割された光の一方から生成された測定ビームを眼底に向けて投光する投光光学系と、
眼底で反射された一方の光と他方の光とが合成された干渉光を受光素子に導く受光光学系と、
を備える測定光学系を有し、前記受光素子から出力される干渉信号に基づいて被検眼の眼軸長を測定する眼軸長測定装置において、
被検眼前眼部と略共役な位置に配置された撮像面を持つ撮像素子を有し、眼底反射光によって照明された被検眼瞳孔部における徹照像を撮像素子により撮像する撮像光学系と、
撮像素子によって取得された徹照像を処理することにより、干渉信号のＳ／Ｎ比が許容値を満たすように設定された所定領域における混濁部の二次元分布を求め、求められた二次元分布に基づいて前記所定領域内における光透過領域の位置を特定する光透過領域特定手段と、
被検眼に対して測定光学系を駆動させる駆動手段を有し、前記光透過領域特定手段によって特定された光透過領域の位置に前記測定光学系の光軸が位置されるように前記駆動手段を制御する駆動制御手段を備えることを特徴とする眼軸長測定装置。
【請求項２】
前記透過領域特定手段は、前記所定領域を複数に分割し、分割された領域毎の混濁率を前記二次元分布の算出結果を用いて比較することにより混濁率が少ない領域を前記透過領域として特定することを特徴とする請求項１の眼軸長測定装置。
【発明の詳細な説明】
【技術分野】
【０００１】
本発明は、被検眼の眼軸長を光学的に測定する眼軸長測定装置に関する。
【背景技術】
【０００２】
被検眼に向けて測定光を照射し、その反射光を干渉光として受光素子にて検出する干渉光学系を持ち、被検眼の眼軸長を測定する眼軸長測定装置が知られている（例えば、特許文献１参照）。
【先行技術文献】
【特許文献】
【０００３】
【特許文献１】特表２００２−５３１２０５号公報
【発明の概要】
【発明が解決しようとする課題】
【０００４】
このような装置において、強度の白内障眼に対して眼軸長を計測するとき、白内障の混濁部分によって測定光が大きく散乱され、干渉信号のＳ／Ｎが大きく減少する。このため、眼軸長が測定できない場合がありうる。また、干渉信号のＳ／Ｎは、測定光軸が角膜頂点から離れることによっても低下する。したがって、不慣れな検者が眼軸長測定装置を用いる場合、十分な干渉信号が得られず、測定エラーとなってしまう可能性がある。
【０００５】
本発明は、上記問題点を鑑み、不慣れな検者であっても、白内障眼の眼軸長を好適に測定できる眼軸長測定装置を提供することを技術課題とする。
【課題を解決するための手段】
【０００６】
上記課題を解決するために、本発明は以下のような構成を備えることを特徴とする。
【０００７】
（１）  光源から出射された光を分割し、分割された光の一方から生成された測定ビームを眼底に向けて投光する投光光学系と、眼底で反射された一方の光と他方の光とが合成された干渉光を受光素子に導く受光光学系と、を備える測定光学系を有し、前記受光素子から出力される干渉信号に基づいて被検眼の眼軸長を測定する眼軸長測定装置において、被検眼前眼部と略共役な位置に配置された撮像面を持つ撮像素子を有し、眼底反射光によって照明された被検眼瞳孔部における徹照像を撮像素子により撮像する撮像光学系と、撮像素子によって取得された徹照像を処理することにより、干渉信号のＳ／Ｎ比が許容値を満たすように設定された所定領域における混濁部の二次元分布を求め、求められた二次元分布に基づいて前記所定領域内における光透過領域の位置を特定する光透過領域特定手段と、被検眼に対して測定光学系を駆動させる駆動手段を有し、前記光透過領域特定手段によって特定された光透過領域の位置に前記測定光学系の光軸が位置されるように前記駆動手段を制御する駆動制御手段を備えることを特徴とする。
（２）  （１）の眼軸長測定装置であって、前記透過領域特定手段は、前記所定領域を複数に分割し、分割された領域毎の混濁率を前記二次元分布の算出結果を用いて比較することにより混濁率が少ない領域を前記透過領域として特定することを特徴とする。
【発明の効果】
【０００８】
本発明は、上記問題点を鑑み、白内障眼の眼軸長を好適に測定できる眼科測定装置を提供することが技術課題とする。
【発明を実施するための形態】
【０００９】
以下、本発明の実施形態を図面に基づいて説明する。図１は本発明に係る眼科装置の外観図である。本装置は、基台２と、基台２に取り付けられた顔支持ユニット４と、基台２上に移動可能に設けられた移動台６と、移動台６に移動可能に設けられ、後述する光学系を収納する測定部８を備える。移動台６は、ジョイスティック１２の操作により、基台２上を左右方向（Ｘ方向）及び前後方向（Ｚ方向）に移動される。また、測定部８は回転ノブ１２ａが回転操作されることにより、モーター等からなる駆動機構１７により上下方向（Ｙ方向）に移動される。移動台６には被検眼Ｅの観察像や測定結果等の各種の情報を表示するモニタ７０、各種設定を行うためのスイッチが配置された操作部９０が設けられている。
【００１０】
図２は本実施形態に係る眼科装置の光学系について示す概略構成図である。本光学系は、眼軸長測定光学系（測定ユニット）１０、角膜形状測定用の指標を角膜に投影するケラト投影光学系５０、アライメント投影光学系４０、前眼部正面像を撮像する前眼部正面撮像光学系３０、に大別される。なお、以下の光学系は、測定部８に内蔵されている。
【００１１】
投影光学系５０は、測定光軸Ｌ１を中心に配置されたリング状の光源５１を有し、被検眼角膜にリング指標を投影して角膜形状（曲率、乱視軸角度、等）を測定するために用いられる。なお、光源５１には、例えば、赤外光または可視光を発するＬＥＤが使用される。
【００１２】
投影光学系４０は、光源５１の内側に配置され、赤外光を発する投影光源４１（例えば、λ＝９７０ｎｍ）を有し、被検者眼角膜にアライメント指標を投影するために用いられる。なお、上記光源５１及び光源４１は、前眼部照明光源を兼用する。
【００１３】
撮像光学系３０は、ダイクロイックミラー３３、対物レンズ４７、全反射ミラー３６、フィルタ３４、撮像レンズ３７、二次元撮像素子３５、を含み、被検眼の前眼部正面像を撮像するために用いられる。撮像素子３５は、撮像面が被検眼前眼部と略共役な位置に配置されている。また、撮像光学系３０は、眼底反射光によって照明された被検眼瞳孔部における徹照像（瞳孔内画像）を撮像する。また、ダイクロイックミラー３３は、測定光の大部分を透過し、測定光の一部を反射すると共に、光源５１及び光源４１による光を反射する。
【００１４】
前述の投影光学系５０、投影光学系４０による前眼部反射光は、ダイクロイックミラー３３、対物レンズ４７、全反射ミラー３６、フィルタ３４、及び撮像レンズ３７を介して二次元撮像素子３５に結像される。
【００１５】
眼軸長測定光学系１０は、投光光学系１０ａ及び受光光学系１０ｂを有し、被検眼に測定光を投光し、その反射光による干渉光を検出する。投光光学系１０ａは、測定光源１（本実施例では、固視灯を兼ねる）から出射された光を分割し、分割された光の一方から生成された測定ビームを眼底に向けて投光する。投光光学系１０ａは、低コヒーレント光を出射する測定光源１から出射された光束を平行光束とするコリメータレンズ３、光源１から出射された光を分割するビームスプリッター（以下、ビームスプリッタ）５、ビームスプリッタ５の透過方向に配置された第１三角プリズム（コーナーキューブ）７、ビームスプリッタ５の反射方向に配置された第２三角プリズム９、偏光ビームスプリッタ１１、１／４波長板１８、光をランダムに拡散させる光学部材としての拡散板１３を有する。
【００１６】
拡散板１３は、投光光学系１０ａの光路中に配置され、徹照像に生じるスペックルノイズを光学的に抑制するスペックル抑制手段として用いられる。本実施例において、拡散板１３は撮像光学系３０の光路から外れた位置であって、かつ、第１測定光と第２測定光が通過する共通光路に配置されている。すなわち、徹照像のスペックルノイズを除去するため、徹照像撮影時において、光路に挿入され、光軸Ｌ１に対して垂直方向に振動される。なお、本実施例においては、拡散板１３を光軸Ｌ１に対して垂直方向に振動する構成としたが、回転させてもかまわない。
【００１７】
第１駆動部１６は、モータ等の駆動源を持ち、拡散板１３を光路から挿脱させるために配置されている。第２駆動部１５は、モータ等の駆動源を持ち、拡散板１３の挿入後、拡散板１３を光軸に対して垂直方向に振動させるために配置されている。
【００１８】
受光光学系１０ｂは、眼底で反射された一方の光と他方の光とが合成された光を受光素子２１に導く。受光光学系１０ｂは、ダイクロイックミラー３３と、１／４波長板１８と、偏光ビームスプリッタ１１と、集光レンズ１９と、受光素子２１と、を有する。
【００１９】
光源１から出射された光（直線偏光）は、コリメータレンズ３によってコリメートされた後、ビームスプリッタ５によって第１測定光と第２測定光とに分割される。そして、分割された光は、三角プリズム７（第１測定光）及び三角プリズム９（第２測定光）によって反射されて各々折り返された後、ビームスプリッタ５によって合成される。そして、合成された光は、偏光ビームスプリッタ１１によって反射され、１／４波長板１８によって円偏光に変換された後、光軸に対して垂直方向に振動する拡散板１３、ダイクロイックミラー３３を介して、少なくとも被検眼角膜と眼底に照射される。このとき、測定光束は、被検者眼の角膜と眼底にて反射されると、１／２波長分位相が変換される。
【００２０】
角膜反射光及び眼底反射光は、ダイクロイックミラー３３（眼底反射光の一部は、反射される）、拡散板１３を透過し、１／４波長板１８によって直線偏光に変換される。その後、偏光ビームスプリッタ１１を透過した反射光は、集光レンズ１９によって集光された後、受光素子２１によって受光される。
【００２１】
なお、三角プリズム７は、一方の光と他方の光の光路差を調整するために光軸方向に移動可能に配置された光学部材（光路長変更部材）である。三角プリズム７は、、駆動部７１（例えば、モータ）の駆動によってビームスプリッタ５に対して光軸方向に直線的に移動される。この場合、光路長変更部材は、三角ミラーであってもよい。また、プリズム７の駆動位置は、位置検出センサ７２（例えば、ポテンショメータ、エンコーダ、等）によって検出される。
【００２２】
なお、上記説明においては、角膜反射光と眼底反射光を干渉させる構成としたが、これに限るものではない。すなわち、光源から出射された光を分割するビームスプリッタ（光分割部材）と、サンプルアームと、レファレンスアームと、干渉光を受光するための受光素子と、を有し、サンプルアームを介して被検眼に照射された測定光とレファレンスアームからの参照光とによる干渉光を受光素子により受光する光干渉光学系を備える眼寸法測定装置であってもよい。この場合、サンプルアーム及びレファレンスアームの少なくともいずれかに光路長変更部材が配置される。
【００２３】
また、上記構成においては、プリズム７を直線的に移動させることにより参照光の光路長を変化させるものとしたが、これに限るものではなく、回転反射体による光遅延機構により参照光の光路長を変化させる構成であっても、本発明の適用は可能である（例えば、特開２００５−１６０６９４号公報参照）。
【００２４】
また、測定光学系１０の測定光源１を徹照像撮影用光源として兼用しており、投光光学系１０ａと同様の光路を経て、被検眼眼底に投光される。そして、その眼底反射光によって被検眼の瞳孔内が後方から照明される。そして、被検眼瞳孔を出射した光は、前述の前眼部反射光と同様の経路を経て、二次元撮像素子３５に撮像される。これにより、被検眼瞳孔内の徹照像が取得される。
【００２５】
次に、制御系について説明する。制御部８０は、装置全体の制御及び測定結果の算出を行う。制御部８０は、光源１、光源５１、光源４１、駆動機構１７、第１駆動部１６、第２駆動部１５、受光素子２１、撮像素子３５、モニタ７０、メモリ８５等と接続されている。また、制御部８０には、各種入力操作を行うための操作部９０が接続されている。メモリ８５には、各種制御プログラムの他、制御部８０が眼軸長等を算出するためのソフトウェアプログラム等が記憶されている。
【００２６】
操作部９０には、例えば、測定光学系により干渉光を受光して眼軸長を測定する第１モードと、撮像光学系により瞳孔内画像である徹照像画像を撮像する第２モードとを切り換える切換信号を発するためのモード切換手段（モード切換スイッチ９０ａ）が設けられている。また、操作部９０には、操作入力部として、マウス等の汎用インターフェースが用いられてもよいし、その他、タッチパネルが用いられてもよい。
【００２７】
制御部８０は、モード切換手段からの切換信号に基づいて、第１モードではスペックル抑制手段の作動を停止させ、第２モードではスペックル抑制手段を作動させる。
【００２８】
より具体的に説明すると、制御部８０は、第１駆動部１６及び第２駆動部１５の駆動を制御し、拡散板１３の着脱及び振動の作動を制御する。なお、眼軸長の測定時には、拡散板１３は、光路上より外され、振動が停止される。
【００２９】
第１モードでは、拡散板１３は光路上より外され、第１駆動部１６及び第２駆動部１５の作動は停止される。また、第２モードへの切り換え時には、制御部８０により、第１駆動部１６が作動され、拡散板１３が光路上に挿入されるとともに、第２駆動部１５が作動され、拡散板１３が振動される。なお、モード切換スイッチ９０ａの操作により第２モードから第１モードへ切り換えられると、制御部８０は、第２駆動部１５の作動を停止し、拡散板１３の振動を停止させる。そして、第１駆動部１６を作動し、光路上から拡散板１３を外す。制御部８０は、拡散板１３が光路上から外れると、第１駆動部１６の作動を停止させる。
【００３０】
以上のような構成を備える装置において、その動作について説明する。まず、第１モードに設定された場合を説明する。検者は、モニタ７０に表示される被検眼のアライメント状態を見ながら、ジョイスティック１２等の操作手段を用いて、装置を上下左右及び前後方向に移動させ、装置を被検眼Ｅに対して所定の位置関係に置く。この場合、検者は、固視標を被検眼に固視させる。
【００３１】
図３は撮像素子３５によって撮像された前眼部画像が表示された前眼部観察画面を示す図である。アライメントの際には、光源４１及び光源５１が点灯される。ここで、検者は、図３に示すように、レチクルＬＴと、光源４１によるリング指標Ｒ１と、が同心円状になるように上下左右のアライメントを行う。なお、レチクルＬＴは、本実施形態においては、角膜頂点位置と装置の光軸Ｌ１が一致する位置として設定されたアライメント基準位置を電子的に表示したものである。また、検者は、リング指標Ｒ１のピントが合うように、前後のアライメントを行う。なお、リング指標Ｒ１の外側には、第２光源５１によるリング指標Ｒ２が表示されている。
【００３２】
＜眼軸長の算出＞
アライメント完了後、測定開始のトリガ信号が自動又は手動にて出力され、制御部８０によって測定光源１が点灯されると、眼軸長測定光学系１０によって測定光が被検眼に照射されると共に、測定光による被検眼からの反射光が受光光学系１０ｂの受光素子２１に入射される。
【００３３】
また、制御部８０は、駆動部７１の駆動を制御し、第１三角プリズム７を往復移動させる。そして、制御部８０は、受光素子２１から出力される受光信号に基づいて、受光素子２１によって干渉光（干渉信号）が検出されたタイミングに基づいて、眼軸長を算出する。
【００３４】
取得された被検眼の眼軸長の情報は、メモリ８５に記憶される。また、制御部８０は、所定回数の測定が完了したら（又は被検者の眼軸長値が所定数得られたら）、プリズム７の往復移動を終了し、プリズム７の移動位置を初期位置に復帰させる。なお、第１モードでは、眼軸長の他、角膜形状が任意に測定可能である。
【００３５】
＜徹照像撮影＞
検者により、第２モードへのモード切換スイッチ９０ａが選択されると、制御部８０は、第１モードから第２モードへとモード切り換えを行う。なお、制御部８０は、第１モードから第２モードへの切り換えを自動的に行うようにしてもよい。第２モードでは、制御部８０は、第１駆動部１６を作動させ、拡散板１３光路上に挿入する。次いで、第２駆動部１５を作動させ、光路上にて、拡散板１３を振動させる。
【００３６】
そして、光源５１及び光源４１を消灯させ、光源１を点灯させる。光源１より出射され、拡散板１３を通って、眼底に投光される。そして、眼底反射光は被検眼Ｅの水晶体内を照明した後に、瞳孔から出射される。瞳孔より出射された眼底反射光は、ダイクロイックミラー３３により反射され、徹照像として撮像素子３５により撮像され、モニタ７０上に表示される。これにより、白内障や混濁のある部位Ｋにおいては、暗い影が確認される（図４参照）。
【００３７】
ここで、投光系より発せられた光の経路を考えると、被検眼眼底のような面は、光の波長と比較してその凹凸が同程度かまたは大きい。そのため、被検眼眼底に向けて照射した光束は、眼底で複雑な位相変化を伴って重なり合い、それらの光束が互いに干渉している場合がある。そして、その反射光により徹照像を撮像すると、徹照画像上に斑点状のムラが発生する。
【００３８】
そのため、徹照像の撮影時に斑点上のムラが発生する光路上において、拡散板１３を設置することで、徹照画像上の斑点状のムラを除去した。すなわち、光路上にて、拡散板１３を光軸に対して垂直方向に振動させることにより、眼底に向かう測定光に対して位相差を発生させる。これにより、眼底上での測定光の干渉状態が変動され、結果的に、徹照画像上に生じるスペックルパターンが時間的に変動される。そして、受光系の応答速度内での積分効果によりパターンが平均化される。この場合、例えば、撮像素子３５において１フレームを取得する時間内にスペックルパターンが幾重にも変動するように、十分な速度で拡散板１３を振動させる。
【００３９】
そして、ジョイスティック１２に設けられたスイッチ１２ｂが操作されると、徹照像画像が取得され、メモリ８５に記憶される。また、このような徹照像画像は、モニタ７０やプリンタ等に出力される。なお、本発明においては、撮影スイッチ１２ｂを操作することにより画像の取得が行われるものとしたが、自動的に撮影が行われる構成としてもよい。
【００４０】
以上のように、本発明によれば、徹照像画像のような瞳孔内画像を撮影した際の画像全体の斑点状のムラを除去でき、検者は、白内障による混濁と斑点状のムラを誤認識することなく確認することができる。
【００４１】
また、上記説明においては、徹照像撮影時に拡散板１３を作動させることにより、徹照像のスペックルノイズが除去され、白内障の進行状態の確認に適した良好な徹照像が得られる。一方、眼軸長測定時に拡散板１３の作動を停止させることにより、眼底反射光と他の光の光干渉性が確保され、眼軸長を正確に測定できる。
【００４２】
なお、本発明においては、スペックルノイズを除去するために用いる光学部材として、拡散板１３を用いたが、これに限らない。例えば、プリズムを用いてもよい。プリズムを用いる場合、駆動部により、プリズムを回転運動させ、光束を偏心回転させることにより、眼底上での光束の散乱状態が変化され、スペックルノイズを除去可能となる。また、水晶偏光解消板、バンドルファイバ、フォトニック結晶、液晶プレート等の部材を用いてコヒーレンス性を低下させ、スペックルノイズを除去することも可能である。
【００４３】
なお、上記構成においては、拡散板１３を偏光ビームスプリッタ１１とダイクロイックミラー３３の間に挿入する構成としたがこれに限らず、撮像光学系３０の光路から外れた位置であればよい。
【００４４】
さらに、第１測定光と第２測定光との共通光路（例えば、光源１とビームスプリッタ５の間）であることが好ましい。これにより、スペックルノイズ除去用の光学部材によって測定光束全体が作用される。一方、分割光路のいずれかに配置されると、他方の光が変動されないからである。
【００４５】
なお、プリズムを用いた場合には、眼底上での光束を移動させる必要があるため、その配置位置は、撮像光学系３０の光路から外れた位置かつ、眼底共役位置から外れた位置とすることで適用可能となる。
【００４６】
なお、本発明においては、測定光源１として、低コヒーレント光を出射する光源であるＳＬＤを用いたが、これに限らず、コヒーレント性を持つ光を出射する光源であればよい。例えば、高コヒーレント光源であるマルチモードレーザダイオードでも適応可能である。波長可変光源を用いたＳＳ（Ｓｗｅｐｔ  ｓｏｕｒｃｅ）−ＯＣＴにて、眼軸長を測定する構成でも適応可能である。
【００４７】
なお、上記構成においては、スペックル除去手段として、プリズム等の光束偏向部材を用いる場合、瞳孔共役位置にこれを配置するのであれば、眼軸長測定中に光束偏向部材を作動させても、角膜反射光の移動が軽減され、干渉性の低下は、一定量抑制されるかもしれない。
【００４８】
＜測定可能率の向上＞
以上のような構成によって、徹照像画像のような瞳孔内画像を撮影した際に、画像全体の斑点状のムラを除去できる。検者は、白内障による混濁を観察しやすくなるため、被検眼測定時の測定可能率（測定の成功率）を向上できる。
【００４９】
例えば、角膜頂点を通る光軸上の位置に混濁部分がある場合、装置の測定光が混濁によって散乱するため、測定に失敗することがある。制御部８０は、瞳孔上でのアライメント位置を変更させることによって、測定光が透過する位置を混濁部分から回避させる。その結果、測定光の散乱が抑制され、測定可能率が向上される。
【００５０】
以下、被検眼測定時の測定可能率を向上させる方法について、図５の示したフローチャートを用いて説明する。
【００５１】
初めに、眼軸長の測定が行われる。角膜中心へのアライメントが完了されると、測定開始のトリガ信号が自動又は手動にて出力される。制御部８０は、そのトリガ信号に基づいて、眼軸長を算出する。制御部８０は、取得された眼軸長の測定結果に基づいて、第１モードから第２モードへの切り換えを行う。
【００５２】
例えば、制御部８０は、取得された眼軸長のＳ／Ｎ比が所定値以下であった場合に、モード切り換えを行う。もちろん、制御部８０は、眼軸長のＳ／Ｎ比が所定値以下であった場合に、その旨をモニタ７０上に表示してもよい。検者は、モードを切り換えるか否かを選択する。
【００５３】
モード切換後、制御部８０は、撮像素子３５により徹照像を撮像する。制御部８０は、撮像された徹照像をモニタ７０上に表示する（図４参照）。撮影開始のトリガ信号が自動又は手動にて出力されると、制御部８０は、解析用の徹照像（徹照像画像）を取得する。制御部８０は、アライメント位置を変更するため、取得された徹照像画像を解析する。
【００５４】
制御部８０は、撮像素子３５によって取得された徹照像を処理することにより、干渉信号のＳ／Ｎ比が許容値を満たすように設定された角膜頂点を中心とする所定領域での混濁部の二次元分布を求める。制御部８０は、求められた二次元分布に基づいて、その所定領域内における光透過領域を特定する。
【００５５】
例えば、制御部８０は、徹照像において、干渉信号のＳ／Ｎ比が許容値を満たすように設定された所定領域を複数に分割する。制御部８０は、分割された領域毎の混濁率を二次元分布の算出結果を用いて比較する。制御部８０は、比較結果に基づいて、混濁率が少ない領域を前記光透過領域として特定する。
【００５６】
以下、具体的に説明する。図６に示されるように、制御部８０は、徹照像画像の測定可能領域Ｐ内の各分割領域Ｐ１〜Ｐ４における混濁率に基づいて、アライメント位置を変更する。
【００５７】
被検眼からの反射光におけるＳ／Ｎ比は、角膜頂点位置から遠くなるにつれて小さくなる。Ｓ／Ｎ比の減少によって干渉信号の取得が困難となるため、眼軸長の測定値が算出されない可能性がある。
【００５８】
測定可能領域Ｐは、角膜頂点位置から所定の距離離れた領域を示しており、混濁が無い状態下で、測定光を入射した場合に、被検眼からの反射光を含む干渉信号のＳ／Ｎ比を許容値以上取得できる領域である（例えば、φ１．０ｍｍの領域）。
【００５９】
例えば、瞳上の測定可能領域Ｐにおいて、測定光束（測定光の径がφ１．５ｍｍ）が所定面積以上通過することによって、眼軸長を測定可能なＳ／Ｎ比が得られる。光軸Ｌ１近傍での光（測定光束の中心部分）に起因する干渉信号のＳ／Ｎ比は最も大きい。測定可能領域Ｐにおいて光軸Ｌ１近傍での光が通過できれば、測定成功率は高くなる。
【００６０】
測定可能領域Ｐは、実験やシミュレーション等によって予め設定される。例えば、設定者は、角膜頂点から光軸Ｌ１を移動させ、干渉信号のＳ／Ｎ比を所定値以上確保できる領域を求める（例えば、角膜頂点からΔＤ離れた領域）。各分割領域Ｐ１〜Ｐ４は、測定可能領域Ｐを所定の領域毎に分割した領域である。制御部８０は、各領域のいずれかの位置にアライメント位置を変更する（詳細は後述する）。混濁率は、各分割領域における領域全体に対する混濁部分の割合を示している。
【００６１】
なお、本実施形態では、測定可能領域Ｐを円領域で設定しているがこれに限定されない。干渉信号のＳ／Ｎ比が所定値以上取得できる位置であればよい。制御部８０は、徹照像と共に、測定可能領域Ｐを示すパターンをモニタ７０上に電子的に表示する。パターンは、任意の形状であればよく、例えば、円形、又は正方形にて表示される。
【００６２】
制御部８０は、各分割領域Ｐ１〜Ｐ４において混濁率を算出するため、徹照像画像の測定可能領域Ｐ内の輝度情報を取得する。混濁率の算出方法について説明する。例えば、制御部８０は、測定可能領域Ｐ内の各画素の輝度値を検出していく。制御部８０は、検出された輝度値が所定の閾値以下であるか否かを判定することにより，各画素が混濁部分又は混濁の無い部部分のどちらに対応するものであるかを判定する。制御部８０は、画素の輝度値が所定の閾値以下である場合には、その画素が混濁部分に対応するものであると判定する。制御部８０は、画素の輝度値が所定の閾値より大きい場合には、その画素が混濁の無い部分に対応するものであると判定する。
【００６３】
制御部８０は、測定可能領域Ｐ内の全画素に対して、上記のような判定処理を行う。制御部８０は、各分割領域Ｐ１〜Ｐ４において、全画素数の内で混濁部分に対応する画素数を算出する。制御部８０は、各分割領域において、それぞれ混濁率を算出する。例えば、混濁率は、０〜１００のパラメータで表わされる。混濁率のパラメータは、領域内に混濁部分の画素が多いほどパラメータが１００に近づき、混濁部分の画素が少ないほどパラメータが０に近づく。混濁率のパラメータが０である場合には、混濁部分が領域内に完全に無いことを示している。混濁率のパラメータが１００である場合には、領域の全てが混濁部分であるということを示している。
【００６４】
徹照像は、拡散板１３によって、画像全体の斑点状のムラを除去されているため、制御部８０は、白内障による混濁と斑点状のムラを誤認識することなく，検出できる。
【００６５】
制御部８０は、撮像素子３５から出力される撮像信号に基づいて駆動機構１７を制御することにより被検眼に対する自動アライメントを作動させ、光透過領域に眼軸長測定光学系１０の光軸Ｌ１が位置されるようにアライメント位置を変更する。例えば、制御部８０は、算出された混濁率に基づいて、アライメント位置を変更する。制御部８０は、各分割領域の混濁率のパラメータを比較する。制御部８０は、比較結果を用いて、混濁率のパラメータがもっとも小さい分割領域に対して装置の光軸Ｌ１が通るように、アライメント位置を変更する。
【００６６】
図７は、各分割領域において混濁率が算出された場合のモニタ７０上の画面に表示された徹照像画像の一例を示す図である。
【００６７】
制御部８０は、駆動機構１７を用いて被検眼に対して眼軸長測定光学系１０を駆動し、
特定された光透過領域（例えば、混濁率のパラメータがもっとも小さい分割領域）に眼軸長測定光学系１０の光軸Ｌ１が位置されるように制御する。
【００６８】
制御部８０は、被検眼に対して装置本体を上下左右に移動させることによって、角膜頂点の近傍から光軸Ｌ１をずらす。例えば、制御部８０は、混濁率のパラメータがもっとも小さい分割領域Ｐ１の所定位置（分割領域の重心位置）と装置の光軸Ｌ１が一致するようにアライメント位置を変更する（図８参照）。所定位置は、例えば、分割領域の重心位置に設定される。
【００６９】
基準位置Ｏは、角膜頂点位置と光軸Ｌ１を一致させるためのアライメント基準位置である。図８に示すように、制御部８０は、アライメント位置を基準位置Ｏから被検眼に対して左方向にＤ２、下方向にＤ３シフトさせたアライメント位置Ｏ３に移動させる。シフト量（Ｄ２、Ｄ３）は、予め、実験やシミュレーション等によって、各分割領域の所定位置を測定光が通過するように算出される。算出されたシフト量（Ｄ２、Ｄ３）は、メモリ７５に記憶される。
【００７０】
制御部８０は、アライメント位置をアライメント位置Ｏ３に変更した後、光源５１及び光源４１を点灯させると共に光源１を消灯させ、さらに、モニタ７０上を前眼部正面像に切り換える。
【００７１】
制御部８０は、変更されたアライメント位置Ｏ３にて自動アライメントを実行する。制御部８０は、角膜頂点位置（角膜輝点位置）Ｍｏ１を検出した後、その検出結果を利用して、アライメント位置Ｏ３と角膜頂点位置Ｍｏ１との偏位量Δｄ１を求める。
その結果として、検出されるアライメントずれ量は、変更前のアライメント位置であるアライメント基準位置Ｏに対してＤ２とＤ３分オフセットが掛けられる。
【００７２】
制御部８０は、アライメント位置Ｏ３を中心と設定された許容範囲Ａ２を偏位量Δｄ１が入るように、駆動機構１７の駆動を制御する（自動アライメントの作動）。制御部８０は、偏位量Δｄがアライメント完了の許容範囲Ａ２に入り、かつ、その時間が一定時間（例えば、画像処理の１０フレーム分又は０．３秒間等）継続しているかにより、ＸＹＺ方向のアライメントの適否を判定する。
【００７３】
アライメントが適正と判定されると、制御部８０は、駆動機構１７の駆動を停止させる。アライメント完了後においても、制御部８０は、偏位量Δｄ１を随時検出しており、偏位量Δｄ１が許容範囲Ａ２を超えた場合、自動アライメントを再開してもよい。制御部８０は、偏位量Δｄ１が許容範囲Ａ２を満たすように被検者眼に対して測定部８を追尾させる制御（トラッキング）を行ってもよい。
【００７４】
以上のように、制御部８０は、自動アライメントを行う。アライメント完了後、測定開始のトリガ信号が自動又は手動にて出力されることによって、制御部８０は、眼軸長を算出する。制御部８０は、眼軸長の測定結果をモニタ７０に表示させ、測定を終了する。
【００７５】
以上のように、アライメント位置を変更することによって、制御部８０は、混濁部分の領域が少ない領域に装置の光軸Ｌ１の位置を移動させる。
【００７６】
光軸Ｌ１の移動により、より多くの測定光が通過できる。例えば、測定光の中心部分に近い光束が混濁部分によって散乱される可能性が低くなる。混濁部での散乱によって干渉信号のＳ／Ｎ比の減少が抑制された結果、測定可能率の向上に繋がる。
【００７７】
眼軸長の干渉信号のＳ／Ｎ比が所定値以下であった場合に、制御部８０は、モード切り換えを行う構成としたがこれに限定されない。眼軸長の測定結果に基づいて、モードの切り換えが行われればよい。例えば、制御部８０は、所定回数の眼軸長測定を行った結果として、所定数の測定結果が取得されない（例えば、５回の測定の内、２回のみ測定結果が取得された）場合に、モードを切り換えるようにしてもよい。制御部８０は、新たに取得された眼軸長の測定値が所定の測定値の範囲を外れた（異常値であった）場合に、制御部８０は、モード切り換えを行う構成としてもよい。
【００７８】
なお、上記説明においては、制御部８０は、混濁率のパラメータに基づいてアライメント位置の変更を行ったがこれに限定されない。例えば、制御部８０は、分割領域毎の平均輝度値を算出し、各分割領域で算出された平均輝度値を比較することによって、アライメント位置を変更する構成でもよい。混濁が多い領域は、混濁によって輝度値が小さくなるため、平均輝度値が小さくなる。このため、制御部８０は、分割領域毎の平均輝度値を算出し、分割領域の中で、平均輝度値がもっとも大きい輝度値が算出された分割領域にアライメント位置を移動させればよい。これにより、混濁の少ない領域にアライメント位置を移動させることができる。
【００７９】
なお、上記説明において、制御部８０は、取得した徹照像画像の静止画上に混濁率のパラメータを表示したがこれに限定されない。例えば、制御部８０は、徹照像画像の解析結果を徹照像の動画像に重畳処理することにより、重畳画像をモニタ７０に表示してもよい。例えば、モニタ７０上に表示される徹照像の動画像に混濁率のパラメータが重ね合わせ処理される。その後、制御部７０は、徹照像の移動を検出することにより、混濁率のパラメータの表示を徹照像の表示にトラッキングさせる。なお、重ね合わせ処理は、例えば、基準画像としてメモリ８５に記憶された徹照像画像の瞳孔部と、逐次検出される徹照像の各動画像の瞳孔部を検出し、これらを重ね合わせることによって行われる。
【００８０】
なお、上記説明においては、制御部８０が混濁率に基づいて、アライメント位置を変更する構成としたがこれに限定されない。例えば、検者がモニタ７０上に表示された混濁率のパラメータを確認する。確認後、検者は、アライメント位置を変更する。
【００８１】
検者によってアライメント位置を変更する場合、例えば、検者は、操作部９０（タッチパネルやジョイスティック等）を用いて、モニタ７０上の画面上において装置の光軸Ｌ１が通る位置（測定光が出射される位置）を選択する。検者によって選択がされると、制御部８０は、選択された領域を装置の光軸Ｌ１が通るように、アライメント位置を変更する。
【００８２】
検者は、モニタ７０上に表示された混濁率のパラメータを用いなくとも、徹照像画像を観察したときの観察結果を利用してアライメント位置を設定してもよい。
【００８３】
なお、上記説明においては、混濁率のパラメータがモニタ７０上に表示される構成としたが表示されなくてもよい。例えば、制御部８０は、モニタ７０上にパラメータを表示せず、混濁率のパラメータをメモリ８５等から呼び出し、アライメント位置を変更すればよい。
【００８４】
なお、上記説明においては、混濁率がもっとも小さい分割領域を光透過領域として、光透過領域を装置の光軸Ｌ１が通るようにアライメント位置を変更する構成としたがこれに限定されない。本実施形態における光透過領域は、測定光束が所定面積以上通過でき、許容されるＳ／Ｎが得られる領域であればよい。例えば、制御部８０は、許容されるＳ／Ｎが得られる混濁率に対応する領域を特定する。制御部８０は、特定された領域上を装置の光軸Ｌ１が通るように，アライメント位置を変更すればよい。
【００８５】
なお、上記説明においては、アライメント位置が変更される際の所定位置を分割領域の重心位置を設定したがこれに限定されない。所定位置は、各分割領域内に装置の光軸Ｌ１が移動できればよく、分割領域内に装置の光軸Ｌ１が収まればよい。例えば、角膜頂点位置から各分割領域に対して所定の距離離れた位置に設定されてもよい。
【００８６】
なお、アライメント位置変更後、眼軸長の測定結果が所定の許容範囲を外れていた場合には、さらに、制御部８０は、アライメント位置を再度変更した上で測定を行う。アライメント位置の変更について、同じ分割領域内で所定量だけアライメント位置が変更されてもよいし、異なる分割領域の所定の位置へ変更されてもよい。アライメント位置が異なる分割領域へ変更される場合、変更先の分割領域の選択は、混濁率のパラメータから行われてよいし、近傍の分割領域に変更されてもよい。
【００８７】
制御部８０は、アライメント位置の変更を所定回数行っても、測定結果が良好でない又は測定結果が算出されない場合には、測定エラーとして判定すると共に、眼軸長の測定を停止させる。制御部８０は、その旨をモニタ７０等に表示してもよい。
【００８８】
なお、上記説明においては、取得された眼軸長の測定結果に基づいて、アライメント位置の変更処理に移行する構成としたがこれに限定されない。例えば、初めに、徹照像を撮影し、アライメント位置の変更を行う構成でもよい。
【００８９】
なお、上記説明においては、徹照像画像を静止画像として取得することにより解析を行う構成としたがこれに限定されない。例えば、制御部８０は、第１モードから第２モードへモード切り換えが行われた後に徹照像が撮像されると、混濁部分に基づいてアライメント位置を変更するため、モニタ７０上に表示された徹照像を解析する。制御部８０は、例えば、モニタ７０上に表示されている徹照像を逐次解析することにより、徹照像に関連する解析結果をリアルタイム更新する。
【００９０】
上記説明においては、制御部８０は、アライメント位置変更後、自動アライメントにてアライメントを完了させたが、これに限定されない。例えば、検者が手動にてアライメントを行ってもよい。アライメント位置の変更後、制御部８０は、モニタ７０上に表示する画像を前眼部正面像に切り換える。検者は、前眼部正面像を確認してアライメントを行う。
【００９１】
なお、制御部８０は、モニタ７０上の徹照像又は徹照像画像の表示倍率を変更して表示される構成としてもよい。このようにすることにより、徹照像がより観察しやすくなる。
【図面の簡単な説明】
【００９２】
【図１】本発明に係る眼科装置の外観図である。
【図２】本実施形態に係る眼科装置の光学系について示す概略構成図である。
【図３】前眼部画像が表示された前眼部観察画面を示す図である。
【図４】徹照像が表示された徹照像観察画面を示す図である。
【図５】被検眼測定時の測定可能率を向上させる方法について説明するフローチャートである。
【図６】徹照像画像の測定可能領域内の各分割領域を示す図である。
【図７】各分割領域において混濁率が算出された場合のモニタ上の画面に表示された徹照像画像の一例を示す図である。
【図８】分割領域の所定位置と装置の光軸Ｌ１が一致するようにアライメント位置を変更する場合について説明する図である。
【符号の説明】
【００９３】
１  測定光源
１０  眼軸長測定光学系
１０ａ  投光光学系
１０ｂ  受光光学系
１３  拡散板
１５  第２駆動部
１６  第１駆動部
３０  前眼部正面撮像光学系
３５  二次元撮像素子
４０  アライメント投影光学系
５０  ケラト投影光学系
７０  モニタ
８０  制御部
８５  メモリ
９０  操作部
９０ａ  モード切換スイッチ
【図１】
0005834537.tif 000002
【図２】
0005834537.tif 000003
【図３】
0005834537.tif 000004
【図４】
0005834537.tif 000005
【図５】
0005834537.tif 000006
【図６】
0005834537.tif 000007
【図７】
0005834537.tif 000008
【図８】
0005834537.tif 000009